(57)【要約】【課題】記録媒体搬送方向での印刷の倍率を変更することができる印刷装置を提供することを目的とする。【解決手段】制御部８０は、メインモータ部５０及びスキャナモータ７２を個々に制御する。搬送ロールモータ５２及び像保持体モータ５４はそれぞれ制御部８０によって制御される構成となっており、ＵＩ装置１８からの指示情報により、制御部８０が搬送ロールモータ５２及び像保持体モータ５４の回転を制御し、記録媒体の搬送速度が微調される。【選択図】図２
2010217496.tif 000002
【特許請求の範囲】
【請求項１】
記録媒体を搬送する搬送手段と、
前記搬送手段により搬送される記録媒体の搬送方向と直交する方向に、所定速度で画像が形成されるように画像を形成する画像形成手段と、
前記搬送手段の搬送速度を制御する制御手段と、
を有する印刷装置。
【請求項２】
前記搬送手段と前記画像形成手段は、それぞれ異なる駆動源を有する、
請求項１記載の印刷装置。
【請求項３】
記録媒体を搬送する搬送手段と、
前記搬送手段により搬送される記録媒体の搬送方向と直交する方向に、所定速度で画像が形成されるように画像を形成する画像形成手段と、
前記搬送手段の搬送速度を設定する設定手段と、
前記認定手段により認定された搬送速度となるように前記搬送手段の搬送速度を制御する制御手段と、
を有する印刷装置。
【請求項４】
前記設定手段は、操作者の指示に従って任意に変更される搬送速度を設定する、
請求項３記載の印刷装置。
【請求項５】
像保持体と、
前記像保持体に、所定速度で画像が形成されるように潜像を書き込む光書き込み装置と、
前記像保持体に書き込まれた潜像を現像剤により可視化する現像装置と、
前記現像装置により可視化された現像剤像を記録媒体に転写する転写装置と、
前記転写装置により転写された現像剤像を前記記録媒体に定着させる定着装置と、
前記記録媒体を搬送する搬送手段と、
前記搬送手段の搬送速度を設定する設定手段と、
前記設定手段により認定された搬送速度となるように前記搬送手段の搬送速度を制御する制御手段と、
を有する印刷装置。
【発明の詳細な説明】
【技術分野】
【０００１】
本発明は、印刷装置に関する。
【背景技術】
【０００２】
特許文献１は、いったん印字用紙の搬送を停止するまでにステッピングモータを駆動するために供給したパルスのステップ数と、ユーザの指示に従った駆動のための供給したパルスのステップ数から、上述の所定量やサーマルヘッドの印字位置を再設定する、印刷媒体搬送誤差装置及び印刷媒体搬送誤差装置補正方法を開示する。
【０００３】
特許文献２は、搬送量調整パターン印刷結果に基づいて、搬送量調整見本パターンと相似形の搬送量調整パターンの情報を入力して搬送量補正値を算出し、該算出された搬送量補正値で印刷装置の搬送量を調整する印刷装置を開示する。
【０００４】
特許文献３は、プラテンローラに対してプラスチックプレートを直角にセットし、プラスチックプレートに印字を行うサーマルヘッドを当て、プラテンローラを回転させながらサーマルヘッドにより印字を行う印字装置であり、プラテンローラによる入力側の送り量と、送り量検出ローラの出力側の送り量との偏差に基づいて、サーマルヘッドによる印字位置を調整する印字装置を開示する。
【先行技術文献】
【特許文献】
【０００５】
【特許文献１】特開２００２−２０３６号公報
【特許文献２】特開２００１−１５８４号公報
【特許文献３】特開平１１−１８８９３７号公報
【発明の概要】
【発明が解決しようとする課題】
【０００６】
本発明は、記録媒体搬送方向での印刷の倍率を変更することができる印刷装置を提供することを目的とする。
【課題を解決するための手段】
【０００７】
請求項１に係る発明は、記録媒体を搬送する搬送手段と、前記搬送手段により搬送される記録媒体の搬送方向と直交する方向に、所定速度で画像が形成されるように画像を形成する画像形成手段と、前記搬送手段の搬送速度を制御する制御手段と、を有する印刷装置である。
【０００８】
請求項２に係る発明は、前記搬送手段と前記画像形成手段は、それぞれ異なる駆動源を有する、請求項１記載の印刷装置である。
【０００９】
請求項３に係る発明は、記録媒体を搬送する搬送手段と、前記搬送手段により搬送される記録媒体の搬送方向と直交する方向に、所定速度で画像が形成されるように画像を形成する画像形成手段と、前記搬送手段の搬送速度を設定する設定手段と、前記認定手段により認定された搬送速度となるように前記搬送手段の搬送速度を制御する制御手段と、を有する印刷装置である。
【００１０】
請求項４に係る発明は、前記設定手段は、操作者の指示に従って任意に変更される搬送速度を設定する、請求項３記載の印刷装置である。
【００１１】
請求項５に係る発明は、像保持体と、前記像保持体に、所定速度で画像が形成されるように潜像を書き込む光書き込み装置と、前記像保持体に書き込まれた潜像を現像剤により可視化する現像装置と、前記現像装置により可視化された現像剤像を記録媒体に転写する転写装置と、前記転写装置により転写された現像剤像を前記記録媒体に定着させる定着装置と、前記記録媒体を搬送する搬送手段と、前記搬送手段の搬送速度を設定する設定手段と、前記設定手段により認定された搬送速度となるように前記搬送手段の搬送速度を制御する制御手段と、を有する印刷装置である。
【発明の効果】
【００１２】
請求項１に係る発明によれば、記録媒体搬送方向での印刷の倍率を変更することができる印刷装置を提供することができる。
【００１３】
請求項２に係る発明によれば、請求項１に係る本発明の効果に加えて、本構成を有しない場合と比較して、印字位置を合わせる精度を向上させることができる。
【００１４】
請求項３に係る発明によれば、記録媒体搬送方向での印刷の倍率を任意に変更することができる印刷装置を提供することができる。
【００１５】
請求項４に係る発明によれば、請求項３に係る本発明の効果に加えて、印刷結果に基づいて、操作者が印刷位置を補正できる、印刷装置を提供することができる。
【００１６】
請求項５に係る発明によれば、記録媒体搬送方向での印刷の倍率を任意に変更することができる印刷装置を提供することができる。
【図面の簡単な説明】
【００１７】
【図１】本発明の一実施形態が適用される印刷装置を示す側面図である。
【図２】本発明の一実施形態が適用される印刷装置のモータ駆動制御系の回路構成を示す。
【図３】本発明の一実施形態が適用される印刷装置のメインモータ５０の回転を制御する構成を示す。
【図４】本発明の一実施形態が適用される印刷装置の動作を説明する説明図である。
【図５】本発明の一実施形態が適用される印刷装置の動作を説明する説明図である。
【図６】本発明の他の実施形態が適用される印刷装置を示す側面図である。
【図７】本発明の他の実施形態に用いられる印刷手段を示す側面図である。
【発明を実施するための形態】
【００１８】
[第１実施形態]
本発明の実施形態について図面に基づいて説明する。
図１は、本発明の一実施形態としての印刷装置１０の全体構成を示す。印刷装置１０は印刷装置本体１２を有し、この印刷装置本体１２内部に像形成手段１４が搭載され、この印刷装置本体１２の上部に後述する排出部１６が設けられている。また、印刷装置本体１２の正面側（図１において右側）上部には、操作部としての例えばタッチパネルなどのユーザインターフェイス（ＵＩ装置）１８が設けられている。ＵＩ装置１８は、印刷装置１０の制御情報や支持情報などを表示すると共に、指示情報などの操作者による入力を受け入れる。
【００１９】
この印刷装置本体１２の下部に、例えば二段の給紙装置２０、２０が配置されている。印刷装置本体１２の下方は、さらに複数の給紙装置を追加して配置できるように構成されている。
それぞれの給紙装置２０は、給紙装置本体２２と、記録媒体が収納される給紙カセット２４とを有する。給紙カセット２４の奥端近傍上部にはピックアップロール２６が設けられ、このピックアップロール２６の後方にリタードロール２８が配置されていると共に、このリタードロール２８に対向する位置にフィードロール３０が配置されている。
【００２０】
搬送路３２は、フィードロール３０から排出口３４までの記録媒体通路であり、この搬送路３２は、印刷装置本体１２の裏側（図１の左側面）近傍にあって、最下端の給紙装置２０から定着器３６まで略鉛直に形成されている部分を有する。この定着器３６には加熱ロール３８と加圧ロール４０が設けられている。搬送路３２の定着器３６の上流側に後述する転写ロール４２と像保持体４４が配置され、転写ロール４２と像保持体４４の上流側にレジストロール４６が配置されている。さらに、搬送路３２の排出口３４の近傍には排出ロール４８が配置されている。
【００２１】
したがって、給紙装置２０の給紙カセット２４からピックアップロール２６により送り出された記録媒体は、リタードロール２８及びフィードロール３０の協働により捌かれて最上位にある記録媒体が搬送路３２に搬送され、レジストロール４６により一時停止されタイミングを合わせ、後述する転写ロール４２と像保持体４４との間を通って現像剤像が転写される。この転写された現像剤像が定着器３６により定着され、排出ロール４８により排出口３４から排出部１６へ排出される。ピックアップロール２６、リタードロール２８、フィードロール３０、レジストロール４６、転写ロール４２、加熱ロール３８、加圧ロール４０及び排出ロール４８（以上を、搬送ロールと称す）の回転と、像保持体４４の回転によって、記録媒体の搬送速度が制御される。
メインモータ５０は、搬送ロール及び像保持体４４を駆動する。
【００２２】
像形成手段１４は、例えば電子写真方式のもので、感光体からなる像保持体４４と、この像保持体４４を一様帯電する例えば帯電ロールからなる帯電装置５６と、帯電装置５６により帯電された像保持体４４に、光により潜像を書き込む光書込み装置５８と、この光書込み装置５８により形成された像保持体４４の潜像を現像剤により可視化する現像装置６０と、この現像装置６０による現像剤像を記録媒体に転写する転写ロール４２と、像保持体４４に残存する現像剤をクリーニングする例えばブレードからなるクリーニング装置６２と、転写ロール４２により転写された記録媒体上の現像剤像を記録媒体に定着させる定着器３６とから構成されている。
【００２３】
光書き込み装置５８は、レーザ光源６４、コリメータレンズ６６、ｆθレンズ６８、ポリゴンミラー７０及びこのポリゴンミラー７０を回転するスキャナモータ７２を有する。レーザ光源６４が発するレーザ光は、コリメータレンズ６６によって平行光にされ、ポリゴンミラー７０により反射される。ポリゴンミラー７０は、例えば６つの偏向面（鏡面）を有し、スキャナモータ７２により所定の等角速度で回転しつつ、コリメータレンズ６６によって平行光にされたレーザ光をｆθレンズ６８に向けて反射する。ポリゴンミラー７０によって反射されたレーザ光は、ｆθレンズ６８を透過することにより、像保持体４４上を主走査方向に走査する。像保持体４４の露光位置が潜像書込み位置Ｐとなる。
なお、この実施形態においては、光書込み装置５８として走査型のレーザ露光装置を用いたが、他の実施形態としてＬＥＤや面発光レーザ等を用いることができる。
【００２４】
プロセスカートリッジ７４は、像保持体４４、帯電装置５６、現像装置６０及びクリーニング装置６２を一体化したものであり、これらを一体として交換できるようになっている。このプロセスカートリッジ７４は、排出部１６を開くことにより、印刷装置本体１２から取り出すことができる。
また、印刷装置本体１２内には、印刷装置１０を構成する各部を制御する制御部８０が配設されている。
【００２５】
図２は、印刷装置１０のモータ駆動制御系の回路構成を示し、図３は、メインモータ５０の回転を制御する構成を示す。制御部８０は、メインモータ５０及びスキャナモータ７２を個々に制御する。
ＵＩ装置１８の一部である操作表示部１８ａは、操作することにより、例えば１１段階（−５〜＋５）に設定変更できるようになっている。ＣＰＵ８２は、操作表示部１８ａに設定された数値に従って、クロック周波数制御手段８４に指示を行い、メインモータ５０の回転を調整する。このようにして、メインモータ５０の回転を制御し、記録媒体の搬送速度を微調する。
【００２６】
メインモータ５０として、例えば、ＤＣモータまたはステッピングモータ等を使用することができる。メインモータ５０にＤＣモータが使用されている場合、回転用クロックパルス自体を変更することで、このメインモータ５０の回転を調整し、記録媒体の搬送速度が変更される。また、メインモータ５０にステッピングモータが使用されている場合、駆動周波数を変更することで、このメインモータ５０の駆動を調整し、記録媒体の搬送速度が変更される。
【００２７】
このように、ポリゴンミラー７０を回転させるスキャナモータ７２の回転数は一定のまま、メインモータ５０の回転数を変更し、記録媒体搬送速度を微調すると、記録媒体の搬送方向の印字倍率（印字長さ）が変更される。
【００２８】
印刷装置１０の動作について説明する。
図４（ａ）は、例えば搬送速度Ｖ０において記録媒体に印字した場合であって、記録媒体後端側に対し、印字位置にずれが生じている状態を示す。ここで、スキャナモータ７２の回転数は変更せず、搬送ロールモータ５２及び像保持体モータ５４の回転数を変更し、搬送速度を微調（ここでは遅く）して搬送速度Ｖ１において印字すると、記録媒体の搬送方向の印字長さが長くなる（図４（ｂ））。このため、記録媒体先端側の書き出し位置がずれることなく、記録媒体後端側のずれが解消される。
【００２９】
図５は、記録媒体に、あらかじめ印字する位置が枠によって設定されている場合を示す。図５（ａ）は、例えば搬送速度Ｖ０において記録媒体に印字した場合であって、枠に対し、印字位置にずれが生じている状態を示す。ここで、スキャナモータ７２の回転数は変更せず、メインモータ５０の回転数を変更し、搬送速度を微調（ここでは遅く）して搬送速度Ｖ２において印字すると、記録媒体の搬送方向の印字長さが長くなる（図５（ｂ））。このため、枠に対する印字位置のずれが解消される。
上記においては、印字位置が記録媒体先端方向側へずれている場合について説明したが、印字位置が記録媒体後端方向側へずれている場合は、記録媒体の搬送速度を速め、印字長さを短くすることで、印字位置のずれが解消される。
【００３０】
また、メインモータ５０によって搬送ロール及び像保持体４４が駆動される構成について説明したが、搬送ロール及び像保持体４４それぞれが個々の駆動源をもつように構成することもできる。
【００３１】
[第２実施形態]
図６は、他の実施形態として、いわゆるタンデム方式の印刷装置１０の全体構造を示す。この実施形態では、中間転写ベルト９０に対して、４つの像形成手段９２Ｙ、９２Ｍ、９２Ｃ、９２Ｋが並列に配置されている。像形成手段９２Ｙはイエローのトナー像を、像形成手段９２Ｍはマゼンダのトナー像を、像形成手段９２Ｃはシアンのトナー像を、像形成手段９２Ｋはブラックのトナー像を中間転写ベルト９０上に形成する。
【００３２】
像形成手段９２Ｙ、９２Ｍ、９２Ｃ、９２Ｋは用いるトナーの色が異なるが、構成は同一であるため、以下、像形成手段９２として説明する。像形成手段９２は、中間転写ベルト９０の一面に設けられた画像形成ユニット９４と、中間転写ベルト９０の裏面に設けられた中間転写ロール９６とを有する。画像形成ユニット９４は、印刷装置本体１２に対して着脱可能であるように構成されている。
【００３３】
画像形成ユニット９４は、中間転写ベルト９０に対峙し感光体からなる像保持体４４、帯電装置５６、光書き込み装置５８、現像装置６０及びクリーニング装置６２を有する。
なお、図５においては、像形成手段９２Ｋの構成装置についてのみ符号を表記する。
【００３４】
中間転写ベルト９０は、複数の支持ロール９８及びバックアップロール１００に支持され、像形成手段９２が設けられているベルト面が略水平となるように配置されている。バックアップロール１００は転写ロール４２と対峙するように設けられており、このバックアップロール１００は回転して中間転写ベルト９０を駆動させる。中間転写ベルト用クリーニング装置１０２は、バックアップロール１００の反対端部近傍（図５において右側）に配置されている。
【００３５】
メインモータ５０は、搬送ロール、像保持体４４及びバックアップロール１００を駆動する。
【００３６】
上記構成において、中間転写ベルト９０と像保持体４４とが同期して互いに反対方向に回転し、帯電装置５６により像保持体４４の表面が帯電され、光書き込み装置５８により潜像が形成され、現像装置６０によって現像される。このようにして現像されたトナー像は、中間転写ロール９６により中間転写ベルト９０に転写される。各像形成手段９２で形成された各色のトナー像は中間転写ベルト９０の移動に伴って重ねられる。搬送ロールによって搬送された記録媒体は、転写ロール４２とバックアップロール１００によってバックアップされた中間転写ベルト９０との間を通り、中間転写ベルト９０から記録媒体へ現像剤像が転写される。
【００３７】
[第３実施形態]
図７は、他の実施形態として、画像形成手段にインクジェット方式を用いたものを示す。この実施形態では、記録ヘッドアレイ１１０が設けられており、この記録ヘッドアレイ１１０には、イエロー（Ｙ）、マゼンダ（Ｍ）、シアン（Ｃ）、ブラック（Ｋ）の４色それぞれに対応した４つのインクジェット記録ヘッドユニット１１２が、搬送方向に沿って配置されている。
【００３８】
各記録ヘッドユニット１１２は制御部８０によって制御され、制御部８０は、例えば、画像情報に応じてインク滴の吐出タイミングや使用する吐出口を決定し、駆動信号を各記録ヘッドユニット１１２へ送る。
【００３９】
記録ヘッドアレイ１１０の下方には、搬送ベルト駆動ロール１２０及び従動ロール１２２に張架された無端状の搬送ベルト１２４が配置されている。メインモータ５０は、搬送ロール、像保持体４４及び搬送ベルト駆動ロール１２０を駆動する。
搬送路上流側には、電源１２６が接続された帯電ロール１２８が配置されている。帯電ロール１２８は、従動ロール１２２との間で搬送ベルト１２４及び記録媒体Ｓを挟みながら従動し、記録媒体Ｓを搬送ベルト１２４に押圧する押圧位置と、この搬送ベルト１２４から離間した離間位置との間を、移動可能に設けられている。押圧位置では、接地された従動ロール１２２との間に所定の電位差が生じ、電荷を与えられた記録媒体Ｓは、搬送ベルト１２４に静電吸着する。
【００４０】
搬送路下流側には、剥離プレート１３０が配置されており、記録媒体Ｓを搬送ベルト１２４から剥離させる。剥離された記録媒体Ｓは、剥離プレート１３０の下流側から搬送路３２へ搬送される。
【００４１】
なお、本発明は上記実施形態に限られず、既存技術である印字位置（印字書き出し位置）補正機構を併用して用いることもできる。
【符号の説明】
【００４２】
１０    印刷装置
１２    印刷装置本体
１４    像形成手段
４４    像保持体
５０    メインモータ部
５２    搬送ロールモータ
５４    像保持体モータ
５８    光書き込み装置
７０    ポリゴンミラー
７２    スキャナモータ
８０    制御部
【図１】
2010217496.tif 000003
【図２】
2010217496.tif 000004
【図３】
2010217496.tif 000005
【図４】
2010217496.tif 000006
【図５】
2010217496.tif 000007
【図６】
2010217496.tif 000008
【図７】
2010217496.tif 000009